(57)【要約】【課題】  各種集客施設に設置した専用端末から、各施設の個別在空情報を専用端末への入力操作なしに、すべて自動でホストコンピュータに集約し、集客施設利用者に目的別および条件別のリアルタイムの在空情報を提供する。【解決手段】  集客施設の在空情報管理装置等から、個別在空情報を有線または無線により、専用端末に収集し、専用端末からインターネット等の広域ネットワークを通して、ホストコンピュータ内のデータベースサーバに個別在空情報を集約し、集客施設利用者は携帯電話端末或いはＰＣ等のネットワーク端末を用いて目的別の検索条件をデータベースサーバに送信し、検索条件に応じた個別在空情報を取得する。【選択図】    図１
2005092845.tif 000002
【特許請求の範囲】
【請求項１】
宿泊施設、遊戯施設、駐車場、飲食施設などの各種集客施設の個別在空管理装置１に設置する個別在空情報収集用の専用端末２と、該専用端末２が発信する個別在空情報を集約管理するホストコンピュータのデータベースサーバ３と、インターネット等の広域ネットワークにアクセス出来る携帯電話端末或いはＰＣ等のネットワーク端末４からなり、各種集客施設の在空情報管理装置１から取得した在空信号を有線または無線により受信した専用端末２は、常時接続、ダイヤルアップ接続等の通信回線を用いてインターネット上のホストコンピュータ内のデータベースサーバ３へ個別在空情報を送信し、データベースサーバ３は全国各地の集客施設からの個別在空情報を受信し、集約管理する。  一方施設利用者は携帯電話端末或いはＰＣ等のネットワーク端末４を用いて、希望の各種施設等の検索条件をデータベースサーバ３へ送信し、検索条件に応じた個別在空情報を得ることが出来るようにしたことを特徴とするリアルタイム情報検索システ厶。
【請求項２】
施設利用者がデーターベース３に入力した検索条件を次回以降は入力無しに利用して個別在空情報を得ることが出来るようにしたことを特徴とする請求項１記載のリアルタイム情報検索システム。
【請求項３】
インターネット等の広域ネットワーク上で各種集客施設の予約をし、予約料として第一種電気通信事業者から情報料を引き落とすことができ、該情報料を予約料として各種施設へ還元するようにしたことを特徴とする請求項１記載のリアルタイム情報検索システム。
【請求項４】
各種集客施設に設置する専用端末２が施設の出入口等の開閉店信号を取得し、該施設の開店及び閉店情報を施設利用者が得ることができるようにしたことを特徴とする請求項１記載のリアルタイム情報検索システム。
【請求項５】
手動による個別在空情報管理装置１の管理用端末５に配設した光センサーや他のセンサー６等を通じて個別在空信号を取得するための信号を処理し、かつこれらを通じた個別在空信号等をＩＰパケット化するためのハードウェアで構成し，個別在空管理装置１または管理用端末５からの信号入力があり次第、自動で動作してＩＰパケットを送出するようにしたことを特徴とする請求項１記載の専用端末。
【発明の詳細な説明】
【技術分野】
【０００１】  本発明は、集客施設の在空情報をインターネット等の広域ネットワーク上のデータベースサーバに蓄積し、携帯電話或いはＰＣ等のネットワーク端末等を利用して施設利用者に施設のリアルタイム在空情報を提供するシステムに関するものである。
【背景技術】
【０００２】  従来、各種集客施設が在空情報をインターネット及び広域ネットワーク上のＷｅｂサーバ、データベースサーバ等へ送信するときに、専用端末またはＰＣ等のボタンまたはスイッチまたはキー等を手動で操作して発信しなければならず、施設従業員等にとって著しく煩雑で負担がかかるとともに、機器の誤操作による誤情報配信の可能性も生じる。【０００３】  また、施設利用者が各種施設の在空情報を得ようとするときに、一つ一つ問い合わせの電話等を施設に入れるか、ＰＣ等を使ってホームページから個々の施設を調べなければならず、検索の簡便性および速報性において著しく劣るものとなっている。
【特許文献】    特開２００１−２５６１４５号
【発明の開示】
【発明が解決しようとする課題】
【０００４】  上記従来技術では、専用端末等の手動操作による施設従業員等の作業性の低下や、機器の誤操作による誤情報発信の危険性から逃れることはできない。【０００５】  また、施設利用者が各種集客施設の在空情報を得ようとするときに、携帯電話端末やＰＣ等を使っても毎回検索条件等を入力しなければならず、検索の簡便性において著しく劣るものとなっている。【０００６】  また、施設側にとっても施設稼働率をあげるために広告を打っても、それほど集客に結びつかない現実がある。  集客率を上げるために新規設備を導入してもそれを宣伝費をかけて利用者に告知しなければならない上、法的規制や指導により宣伝広告そのものを打てない場合もあり，また、過度の情報の露出は競合他社への情報漏洩になってしまう。
【課題を解決するための手段】
【０００７】  上記課題を解決するために本発明は、各種集客施設の個別在空情報を、施設の管理装置に特殊な専用端末を連接して自動的に収集した後、常時接続回線等の通信手段を用いてインターネット等の広域ネットワーク上のデータベースサーバへ発信し、情報を受信したデータベースサーバは、これを集約管理し、施設利用者が携帯電話端末或いはＰＣ等のネットワーク端末を用いてデータベースサーバにアクセスし、施設利用者がデータベースサーバへ送信した検索条件に応じた個別在空情報を施設利用者のネットワーク端末へ送信することが出来るように構成したシステムに関するものである。
【発明の効果】
【０００８】  本発明のリアルタイム情報検索システムは、各種集客施設の個別在空情報を常時接続回線等を用いてリアルタイムでデータベースサーバに集約し、施設利用者が携帯電話端末或いはＰＣ等を用いてデータベースサーバにアクセスすることにより、施設利用者が希望する条件の、今現在の集客施設個別在空情報を得ることができる。
また，施設利用意欲が高まっているときに利用可能な施設情報を提供するため、即時に施設利用がなされ、集客施設の売り上げ増大をもたらす、という効果を奏する。
【発明を実施するための最良の形態】
【０００９】  事業実施に先立ち、事業運営者は以下のシステムを準備する。
１．インターネット等の広域ネットワーク上に、各種集客施設の個別在空情報を集約管理するデータベースサーバを構築する。
２．事業運営者は各種施設経営者と契約し、契約施設情報を事前にデータベースサーバへ登録する。
３．専用端末を施設の在空情報管理装置へ接続し、常時接続回線等を用いてデータベースサーバへ個別在空情報を送信できるよう調整工事する。
４．専用端末が在空情報管理装置から収集した在空情報を随時送信し、データベースサーバは現時点での全契約施設の個別在空情報を作成する。
５．施設利用者は携帯電話端末或いはＰＣ等のネットワーク端末を用いて、各種広告等により知り得た事業運営者ホームページにアクセスし、当該ホームページを介して要求する施設在空情報の検索条件を送信する。
６．データベースサーバは、施設利用者より得た検索条件に従いデータベース内から検索し、更に個別在空情報で選び出し、施設利用者のネットワーク端末へ送信する。
７．施設利用者は受信した一つ以上の個別在空情報から求める施設情報を選択し、事業運営者が別に用意する施設ホームページ等より詳細な情報を得る。
【実施例】
【００１０】  以下、図面により本発明の実施の形態を詳細に説明する。
図１は本発明にかかるリアルタイム情報検索システムの構成の１例を示す概念図である。【００１１】  リアルタイム情報検索システムはインターネット等の広域ネットワークを用いて施設利用者がリアルタイムで各種集客施設の個別在空情報を取得することができるシステムである。
リアルタイム情報検索システムは事業運営者側データベースサーバ３と、事業運営者側施設ホームページ用ウェブサーバ７と、専用端末２と、携帯電話端末或いはＰＣ等施設利用者側装置４と、施設側個別在空管理装置１と、該施設側個別在空管理装置１から専用端末２へ個別在空信号を伝達するセンサー６と、ＬＡＮ（図略）と、ＡＤＳＬモデム等端末装置８と、ＡＤＳＬ等常時接続回線（図略）と、広域ネットワーク（図略）と、一般公衆回線（ＰＳＴＮ）（図略）とを有するシステムである。【００１２】  事業運営者側データベースサーバ３は、データベースソフトと、データベース管理ソフトと、ウェブサーバソフトと、ウェブサーバ管理ソフトと、データ送受信ソフトと、それらを収容するホストコンピュータと、ＬＡＮインタフェースを有する装置である。【００１３】  事業運営者側施設ホームページ用ウェブサーバ７は、ウェブサーバソフトと、ウェブサーバ管理ソフトと、データ送受信ソフトと、それらを収容するコンピュータとＬＡＮインタフェースを有する装置である。【００１４】  専用端末２は、個別在空信号をＩＰパケット化するデータ処理ソフトと、データ送受信ソフトと、それらを収容する専用端末装置と、ＬＡＮインタフェースとセンサー６を接続する接点とを有する装置である。【００１５】  携帯電話端末或いはＰＣ等施設利用者側装置４は、インターネット等の広域ネットワークにアクセス可能な機能を持つ、携帯電話端末或いはＰＣ等のネットワーク端末装置である。【００１６】  施設側個別在空管理装置１は、各種施設における個別在空情報を施設利用者または施設従業員等に対し明示する機能を有する装置である。【００１７】  以下、本発明のリアルタイム情報検索システムの動作についてラブホテルの在空情報検索を事例として解説する。【００１８】  ラブホテルの個別在空管理装置１である部屋案内パネルにセンサー６を設置し、信号の出力先を専用端末２の接点へ接続する。センサー６は光センサーモジュールであり、施設の個別在空管理装置１の各部屋の在空情報を表すランプ５と一対一に対応している。【００１９】  専用端末装置２は一つ以上の接点を有し、一つの接点に対し、一つの光センサーモジュールが対応する。【００２０】  ラブホテルの客室Ａに利用があり、個別在空管理装置１の客室Ａのランプ５消灯すると、客室Ａに対応する光センサーモジュール６がランプ消灯の信号を専用端末２の客室Ａに対応する接点へ出力する。【００２１】  専用端末２はデータ処理ソフトを用いて接点の信号を対応する客室の個別在空情報へ変換し、データ送受信ソフトを用いてＬＡＮインタフェースへ出力する。
また、あらかじめ定めた時間を過ぎて、施設の在空情報に変化がない場合、専用端末２が正常動作していることを事業運営者側に知らせるためＩＰパケットをＬＡＮインタフェースへ出力する。【００２２】  ＬＡＮインタフェースは有線、または無線によりＡＤＳＬモデム等端末装置８に個別在空情報を送信する。【００２３】  施設側の個別事情によりＡＤＳＬ等常時接続回線を用意できない場合、一般公衆回線網を使った定額インターネット接続サービス等を利用する。【００２４】  個別在空情報を受信したＡＤＳＬモデム等端末装置８はＡＤＳＬ等常時接続回線を使って広域ネットワークへ個別在空情報を送信する。【００２５】  個別在空情報は広域ネットワークを通じて事業運営者側データベースサーバ３に到達する。
事業運営者側データベースサーバ３はＬＡＮインタフェースからデータ送受信ソフトにより個別在空情報を取り込み、データベース管理ソフトがデータベースソフトに個別在空情報を記録する。
個別在空情報が以前の情報と異なるときは、これを更新する。【００２６】  データベースソフトにはあらかじめ事業運営者が施設側から受領した施設詳細情報が記録管理してある。【００２７】  あらかじめ記録してある施設情報と、その個別在空情報を、専用端末２からの情報を持って随時更新することにより、データベースソフトの情報は常に最新に保たれる。【００２８】  この状態の事業運営者側データベースサーバ３に対し、施設利用者が携帯電話端末或いはＰＣ等施設利用者側装置４を用いてアクセスすることにより、リアルタイム情報検索が可能となる。【００２９】  まず、施設利用者は例えば携帯電話端末４を用いて本発明のリアルタイム情報検索システム１のトップページにアクセスする。
トップページはリアルタイム情報検索システムを利用する場合の入り口に当たるウェブページである。【００３０】  トップページはメニュー形式で、各種施設のメインメニューページ、新着情報ページ、サービスの説明ページ、操作方法説明ページ、利用規約ページ、事業運営者ホームページ等にリンクが貼ってあり、当該項目を選択することによりそれぞれのページにアクセスすることができる。【００３１】  例えば「ラブホテル検索」を選択すると、「ラブホテル検索」のメインメニューが表示され、検索条件を入力できるようになる。
以下「ラブホテル検索」のメニュー画面を使用して本システムの動作を説明する。【００３２】  まず施設利用者は、宿泊、休息、ＦＴ（フリータイム）の何れか一つを選択する。先に他の項目を選択した場合は強制的にメインメニューに戻る。【００３３】  次に「エリア検索」を選択する。「ラブホテル検索」において「エリア検索」の入力は必須であり、ここで検索エリアを指定しないと個別在空情報の検索を開始できない。  ただし、次回以降の検索で、以前に検索条件を保存してある場合は必須ではない。【００３４】  「エリア検索」は階層化されたメニュー画面からエリアを指定する方法と、携帯電話端末が持つ位置情報通知機能を利用した「位置情報検索」に分かれる。【００３５】  エリアを指定する方法は、まず地方を選択し、次にその地方の中の都道府県を選ぶ。このときに「都道府県で探す」のチェックボックスにチェックを入れておくと、選択した都道府県全域から検索する設定となり、メインメニュー画面に移動する。【００３６】  「都道府県で探す」のチェックボックスにチェックを入れないと、更に一階層下のメニューに移動する。
都道府県より下の階層は、市町村レベルでのエリア分けになるが、その分け方は事業運営者の指定による。そのため必ずしも実際の行政単位通りではない。【００３７】  都道府県レベル、もしくは市町村レベルでエリアを選択するときに、「次回も使う」のチェックボックスにチェックを入れておくと、その選択エリアがデータベースソフト１１に記録される。記録されたエリアは次回以降「履歴検索」を使うことで利用できる。  「履歴検索」は後述する。【００３８】  「エリア検索」において、「位置情報検索」を使うと携帯電話端末各社の位置情報取得機能を利用して現在位置情報を取得できる。この情報を使うことにより、エリア設定を省くことができる。【００３９】  「位置情報検索」を選択すると、携帯電話端末各社の位置情報検索用サーバが位置情報送信確認画面を送信してくる。【００４０】  現在位置を情報提供者（事業運営者）に送信してよいかという確認メッセージが出る。【００４１】  施設利用者が同意を選択すると、位置情報検索用サーバが３に現在位置情報を送信する。【００４２】  位置情報検索用サーバ３のデータベース管理ソフトが、受信した現在位置情報に最も近い市町村レベルのエリアを選び出し携帯電話端末４へ送信する。
施設利用者がエリアを選択すると再度メインメニュー画面に移動する。【００４３】  エリア指定が終わると「こだわり検索」により詳細な検索条件を設定できる。
「こだわり検索」画面のメニューリストから、料金、ホテルタイプ、各種設備等の項目を選ぶと、一階層下の画面に移動する。  「こだわり検索」の入力は必須ではない。【００４４】  詳細な検索条件は「エリア検索」で指定したエリア内で、更にホテルを絞り込むために使用する。  各条件設定画面で、選び出す部屋の条件を入力する。  入力する値や、方法はそれぞれの画面の表現に従う。【００４５】  たとえば「料金検索」画面では、入力フィールドに希望の料金の範囲、または上限、下限を数字で入力する。【００４６】  「部屋設備」画面の場合は、希望する設備のチェックボックスにチェックを入れる。【００４７】  「こだわり検索」画面において、「次回も使う」にチェックを入れると、「エリア検索」でエリアを選択したのち、入力、及び選択した詳細な検索条件すべてをデータベースソフトに記録する設定になる。  記録した詳細な検索条件は次回以降「履歴検索」を使うことで再度同じ条件を入力することなく利用できる。  「履歴検索」は後述する。【００４８】  「こだわり検索」画面において「決定」ボタンを選択すると、詳細な検索条件が事業運営者側データベースサーバ３と、データベース管理ソフトへ送信され詳細な検索条件をメモリ上に記録する。  これで検索条件がすべて整ったことになる。【００４９】  メインメニューで「検索開始」を選択すると、「エリア検索」と「こだわり検索」で選択した条件でホテルの空き室の検索を開始する。  何れかの「次回も使う」にチェックを入れた場合、「履歴検索」のための暗証番号入力を求めてくる。入力後、位置情報送信確認画面が表示され、施設利用者が同意を選択すると検索を開始する。同時に検索条件と暗証番号及びシリアルナンバーをデータベース管理ソフト１２に記録する。【００５０】  ２回目以降の検索で、以前「次回も使う」にチェックも入れて検索した場合、「履歴検索」を使うことができる。【００５１】  「履歴検索」を使う場合は、メインメニュー画面の暗証番号入力フィールドに暗証番号を入力してから「検索開始」を選択する。  携帯電話端末及びＰＣ等のネットワーク端末４のシリアルナンバー（ＰＣ等は除く）の送信許可を求める画面が出るので許可を選択すると、データベース管理ソフトに記録された検索条件でホテルの空き室の検索を開始する。【００５２】  携帯電話端末或いはＰＣ等のネットワーク端末４より検索開始の信号を受け取った事業運営者側データベースサーバ３は、データ送受信ソフトがデータベース管理ソフトへ検索開始信号を渡し、その前に送信した検索条件に適合するホテルの空き室をデータベース管理ソフトがデータベースソフトからリストアップする。【００５３】  リストアップした空き室情報を、データベース管理ソフトがウェブページ「検索結果」に整形し、ネットワーク端末４へ送信する。【００５４】  「検索結果」はホテル名と空き室の部屋番号からなる文字列のリストで、それ自体が当該ホテルのホームページへのリンクとなっている。  「検索結果」に含まれる空き室数は事業運営者によりあらかじめ決められた数までとし、それ以上、または空き室無しの時は再検索を求めるメッセージが携帯電話端末或いはＰＣ等のネットワーク端末４へ送信される。【００５５��  携帯電話端末或いはＰＣ等のネットワーク端末４は受け取った「検索結果」のリストから一つを選択することにより、当該ホテルのホームページを見ることができる。【００５６】  選択されたホテルのＵＲＬが事業運営者側施設ホームページ用ウェブサーバ７に収容してあるホームページの場合は、該当するホテルのホームページを携帯電話端末或いはＰＣ等のネットワーク端末４へ送信する。  それ以外は該当するウェブサイトへ接続する。【００５７】  ホテルホームページは、事業運営者作成のものと、ホテル既存のものがあり、事業運営者作成の場合は、内容によりランクが分かれている。【００５８】  ホームページの内容は、地図画像、住所、電話番号、メールアドレス、駐車場台数、部屋一覧、料金、利用時間、設備、サービス、などからなり、これに部屋の写真画像、パノラマ画像等が加わる。  具体的内容や画像枚数は、ランクにより異なる。【００５９】  施設利用者は「検索結果」から、希望する条件に合う、今現在のホテルの空き室情報をリアルタイムに得ることができ、かつ、空き室のリストから任意のホテルを選択することにより、ホテルのホームページにアクセスして、画像情報を含めたより詳細な情報を得ることができる。  これによりタイムリーかつ正確多彩な情報を得る施設利用者の来店意欲が高まり、ホテルの収益増に貢献することが出来る。【００６０】  本発明は前記のように構成されているので、各種集客施設の個別在空情報を常時接続回線等を用いてリアルタイムでデータベースサーバに集約し、施設利用者が携帯電話端末或いはＰＣ等を用いてデータベースサーバにアクセスすることにより、施設利用者が今現在希望する条件の集客施設の個別在空情報をタイムリーに得ることができる。
本発明は施設利用意欲が高まっているときに利用可能な施設情報を速やかに提供できるため、即時に施設利用がなされ、集客施設の売り上げ増大に貢献出来るなど数多くの特徴を有するものである。
【図面の簡単な説明】
【００６１】
【図１】  リアルタイム情報検索システムの実施形態の一例を示す概念図である。
【符号の説明】
【００６２】１  施設側個別在空管理装置（部屋案内パネル等）
２  専用端末
３  事業運営者側データベースサーバ（ホストコンピュータ）
４  携帯電話端末或いはＰＣ等施設利用者側装置
５  施設側個別在空管理装置の管理用端末（ランプ等）
６  センサー（光センサーモジュール他）
７  事業運営者側施設ホームページ用ウェブサーバ
８  ＡＤＳＬモデム等端末装置（またはダイヤルアップルーター）
【図１】
2005092845.tif 000003